【手続補正書】
【提出日】平成30年5月18日(2018.5.18)
【手続補正１】
【補正対象書類名】特許請求の範囲
【補正対象項目名】全文
【補正方法】変更
【補正の内容】
【特許請求の範囲】
【請求項１】
シートを給送する給送ローラと、前記給送ローラにより給送されたシートを搬送する搬送ローラと、前記搬送ローラにより搬送されるシートに記録を行う記録手段と、シートの搬送方向における前記搬送ローラの上流側において後続シートの先端部が先行シートに重なっている重ね状態を形成する搬送制御手段と、を備える記録装置であって、
前記後続シートの先端の位置に対する前記先行シートの後端の位置に関わる情報を取得する取得手段をさらに有し、
前記搬送制御手段は、前記重ね状態を形成した後、重ね状態のまま前記後続シートを前記記録手段により記録が開始される記録開始位置に搬送する第１の搬送動作を実行するか、または前記先行シートの後端と前記後続シートの先端の間に間隔を設けて前記後続シートを前記記録開始位置に搬送する第２の搬送動作を実行するかを、前記取得手段が取得した前記情報に基づいて決定することを特徴とする記録装置。
【請求項２】
前記情報は、前記先行シートと前記後続シートの重なり量であり、
前記搬送制御手段は、前記重なり量が閾値より小さい場合、前記第２の搬送動作を実行することを特徴とする請求項１に記載の記録装置。
【請求項３】
前記搬送制御手段は、前記後続シートが前記記録開始位置に搬送されたときに前記後続シートの先端の位置が所定の位置に到達しない場合、前記第２の搬送動作を実行することを特徴とする請求項１または２に記載の記録装置。
【請求項４】
前記搬送制御手段は、前記先行シートに記録される画像の最終行と当該最終行の前行との間に隙間がない場合、前記第２の搬送動作を実行することを特徴とする請求項１ないし３のいずれか１項に記載の記録装置。
【請求項５】
前記搬送制御手段は、前記第２の搬送動作を実行する際、前記先行シートの後端が前記搬送ローラを通過した後に前記搬送ローラにより前記後続シートを前記記録開始位置に搬送することを特徴とする請求項１ないし４のいずれか１項に記載の記録装置。
【請求項６】
前記搬送制御手段は、前記重ね状態が形成されなかった場合、前記搬送ローラにより前記先行シートの後端と前記後続シートの先端の間に間隔を設けて前記先行シートと前記後続シートを搬送することを特徴とする請求項１ないし５のいずれか１項に記載の記録装置。
【請求項７】
前記搬送制御手段は、前記先行シートの後端と前記後続シートの先端の間に間隔を設けた状態で、前記給送ローラによる前記後続シートの給送を開始することを特徴とする請求項１ないし６のいずれか１項に記載の記録装置。
【請求項８】
前記搬送制御手段は、前記給送ローラと前記搬送ローラの間において前記重ね状態を形成することを特徴とする請求項１ないし７のいずれか１項に記載の記録装置。
【請求項９】
前記搬送制御手段は、前記後続シートが前記先行シートに追いつくように、前記先行シートを搬送する前記搬送ローラが間欠的に回転しているときに、前記後続シートを給送する前記給送ローラを連続的に回転させることを特徴とする請求項８に記載の記録装置。
【請求項１０】
前記搬送制御手段は、前記後続シートが前記先行シートに追いつくように、前記先行シートを搬送する前記搬送ローラよりも速い回転速度で、前記後続シートを給送する前記給送ローラを回転させることを特徴とする請求項８に記載の記録装置。
【請求項１１】
前記搬送制御手段は、前記記録手段による前記先行シートの最終行の記録が完了するまでに、前記第１の搬送動作と前記第２の搬送動作のいずれかを実行するかを決定することを特徴とする請求項１ないし１０のいずれか１項に記載の記録装置。
【請求項１２】
シートを給送する給送ローラと、前記給送ローラにより給送されたシートを搬送する搬送ローラと、前記搬送ローラにより搬送されるシートに記録データに基づいて記録を行う記録手段と、シートの搬送方向における前記搬送ローラの上流側において後続シートの先端部が先行シートに重なっている重ね状態を形成する搬送制御手段と、を備える記録装置であって、
前記後続シートを前記記録手段により記録が開始される前記開始位置に搬送したときの前記後続シートの先端の位置に関わる情報を取得する取得手段をさらに有し、
前記搬送制御手段は、前記重ね状態を形成した後、重ね状態のまま前記後続シートを前記記録開始位置に搬送する第１の搬送動作を実行するか、または前記先行シートの後端と前記後続シートの先端の間に間隔を設けて前記後続シートを前記記録開始位置に搬送する第２の搬送動作を実行するかを前記取得手段が取得した前記情報に基づいて決定することを特徴とする記録装置。
【請求項１３】
前記搬送制御手段は、前記先行シートと前記後続シートの重なり量が閾値より小さい場合、前記第２の搬送動作を実行することを特徴とする請求項１２に記載の記録装置。
【請求項１４】
前記搬送制御手段は、前記後続シートの先端の位置が所定の位置に到達しない場合、前記第２の搬送動作を実行することを特徴とする請求項１２または１３に記載の記録装置。
【請求項１５】
前記搬送制御手段は、前記先行シートに記録される前記記録データに係る画像の最終行と当該最終行の前行との間に隙間がない場合、前記第２の搬送動作を実行することを特徴とする請求項１２ないし１４のいずれか１項に記載の記録装置。
【請求項１６】
シートを給送する給送ローラと、前記給送ローラにより給送されたシートを搬送する搬送ローラと、前記搬送ローラにより搬送されるシートに記録を行う記録手段と、シートの搬送方向における前記搬送ローラの上流側において後続シートの先端部が先行シートに重なっている重ね状態を形成する搬送制御手段と、を備える記録装置であって、
前記搬送制御手段は、前記重ね状態を形成した後、重ね状態を維持したまま前記後続シートを前記記録手段により記録が開始される記録開始位置に搬送する第１の搬送動作、または前記先行シートの後端と前記後続シートの先端の間に間隔を設けて前記後続シートを前記記録開始位置に搬送する第２の搬送動作を実行し、前記先行シートに記録される画像の最終行と当該最終行の前行との間に隙間がない場合、前記第２の搬送動作を実行することを特徴とする記録装置。
【請求項１７】
前記記録手段は前記シートの搬送方向と交差する方向に移動しながらシートにインクを吐出口するインクジェット記録ヘッドであることを特徴とする請求項１乃至１５のいずれか１項に記載の記録装置。
【請求項１８】
シートを給送する給送ローラと、前記給送ローラにより給送されたシートを搬送する搬送ローラと、前記搬送ローラにより搬送されるシートに記録を行う記録手段と、を備える記録装置の制御方法であって、
搬送制御手段に、シートの搬送方向における前記搬送ローラの上流側において後続シートの先端部が先行シートに重なっている重ね状態を形成させる形成工程と、
取得手段に、前記後続シートの先端の位置に対する前記先行シートの後端の位置に関わる情報を取得させる取得工程と、
前記搬送制御手段に、前記形成工程の後に、前記重ね状態のまま前記後続シートを前記記録手段により記録が開始される記録開始位置に搬送する第１の搬送動作を実行するか、または前記先行シートの後端と前記後続シートの先端の間に間隔を設けて前記後続シートを前記記録開始位置に搬送する第２の搬送動作を実行するかを、前記取得工程において取得した前記情報に基づいて決定させることを特徴とする記録装置の制御方法。
【請求項１９】
シートを給送する給送ローラと、前記給送ローラにより給送されたシートを搬送する搬送ローラと、前記搬送ローラにより搬送されるシートに記録データに基づいて記録を行う記録手段と、を備える記録装置の制御方法であって、
搬送制御手段に、シートの搬送方向における前記搬送ローラの上流側において後続シートの先端部が先行シートに重なっている重ね状態を形成させる形成工程と、
取得手段に、前記後続シートを前記記録手段により記録が開始される前記開始位置に搬送したときの前記後続シートの先端の位置に関わる情報を取得させる取得工程と、
前記搬送制御手段に、前記形成工程の後に、前記重ね状態のまま前記後続シートを前記記録開始位置に搬送する第１の搬送動作を実行するか、または前記先行シートの後端と前記後続シートの先端の間に間隔を設けて前記後続シートを前記記録開始位置に搬送する第２の搬送動作を実行するかを前記取得工程において取得した前記情報に基づいて決定させることを特徴とする記録装置の制御方法。
【手続補正２】
【補正対象書類名】明細書
【補正対象項目名】発明の名称
【補正方法】変更
【補正の内容】
【発明の名称】記録装置及びその制御方法
【手続補正３】
【補正対象書類名】明細書
【補正対象項目名】０００６
【補正方法】変更
【補正の内容】
【０００６】
本発明に係わる記録装置は、シートを給送する給送ローラと、前記給送ローラにより給送されたシートを搬送する搬送ローラと、前記搬送ローラにより搬送されるシートに記録を行う記録手段と、シートの搬送方向における前記搬送ローラの上流側において後続シートの先端部が先行シートに重なっている重ね状態を形成する搬送制御手段と、を備える記録装置であって、前記後続シートの先端の位置に対する前記先行シートの後端の位置に関わる情報を取得する取得手段をさらに有し、前記搬送制御手段は、前記重ね状態を形成した後、重ね状態のまま前記後続シートを前記記録手段により記録が開始される記録開始位置に搬送する第１の搬送動作を実行するか、または前記先行シートの後端と前記後続シートの先端の間に間隔を設けて前記後続シートを前記記録開始位置に搬送する第２の搬送動作を実行するかを、前記取得手段が取得した前記情報に基づいて決定することを特徴とする。
また、本発明に係わる記録装置は、シートを給送する給送ローラと、前記給送ローラにより給送されたシートを搬送する搬送ローラと、前記搬送ローラにより搬送されるシートに記録データに基づいて記録を行う記録手段と、シートの搬送方向における前記搬送ローラの上流側において後続シートの先端部が先行シートに重なっている重ね状態を形成する搬送制御手段と、を備える記録装置であって、前記後続シートを前記記録手段により記録が開始される前記開始位置に搬送したときの前記後続シートの先端の位置に関わる情報を取得する取得手段をさらに有し、前記搬送制御手段は、前記重ね状態を形成した後、重ね状態のまま前記後続シートを前記記録開始位置に搬送する第１の搬送動作を実行するか、または前記先行シートの後端と前記後続シートの先端の間に間隔を設けて前記後続シートを前記記録開始位置に搬送する第２の搬送動作を実行するかを前記取得手段が取得した前記情報に基づいて決定することを特徴とする。
また、本発明に係わる記録装置は、シートを給送する給送ローラと、前記給送ローラにより給送されたシートを搬送する搬送ローラと、前記搬送ローラにより搬送されるシートに記録を行う記録手段と、シートの搬送方向における前記搬送ローラの上流側において後続シートの先端部が先行シートに重なっている重ね状態を形成する搬送制御手段と、を備える記録装置であって、前記搬送制御手段は、前記重ね状態を形成した後、重ね状態を維持したまま前記後続シートを前記記録手段により記録が開始される記録開始位置に搬送する第１の搬送動作、または前記先行シートの後端と前記後続シートの先端の間に間隔を設けて前記後続シートを前記記録開始位置に搬送する第２の搬送動作を実行し、前記先行シートに記録される画像の最終行と当該最終行の前行との間に隙間がない場合、前記第２の搬送動作を実行することを特徴とする。